(57)【特許請求の範囲】
【請求項１】
構成が互いに同じであり、一方の入力を両方のチャネルに振り分ける機能を有し、バイアンプとして使用可能な二つの増幅手段と、入力切り替えを行うためのセレクタと、音量調節を行うための音量調節つまみと、それらセレクタ及び音量調節つまみと接続する制御手段と、その制御手段と接続され、バイ・アンプとしてドライブされる同種の他のプリアンプとの間に介在されて通信を行うための通信手段と、が備えられてなるプリアンプであって、
上記制御手段は、上記セレクタもしくは音量調節つまみの操作が行われた際には、上記二つの増幅手段のうちの一方の増幅手段への操作に対応して他方の増幅手段にも入力切り替えもしくは音量調節の制御を行い且つ他のプリアンプに対し上記通信手段を介して入力切り替えもしくは音量調節の制御信号を送信し、更に、他のプリアンプから制御信号を受けた際には、その制御信号に従って入力切り替えもしくは音量調節の制御を行うように構成されてなるプリアンプ。
【請求項２】
ミュートの操作が行われる操作部を備え、前記制御手段は、一方の増幅手段にミュートについての操作が行われた場合に、他方の増幅手段にミュートの制御を行うと共に、前記通信手段を介して他のプリアンプにミュートの制御信号を送信し、更に、前記通信手段を介して他のプリアンプからミュートの制御信号を受信した場合に、該他のプリアンプからの制御信号に従って一のプリアンプにミュートの制御を行う、ことを特徴とする請求項１に記載のプリアンプ。
【発明の詳細な説明】
【０００１】
【発明の属する技術分野】
本発明はプリアンプに関し、特に、構成が同じの二個の増幅手段が備えられ、それら二個の増幅手段で一方に制御信号が入力されると両方のチャネルに振り分ける機能を有し、且つ、バイアンプとして使用可能であるプリアンプに関する。
【０００２】
【従来の技術】
１つのボックスに収納された高音用のスピーカユニットと低音用のスピーカユニットとに対して、パワーアンプから高音用のスピーカコードと低音用のスピーカコードとをそれぞれ接続する「バイワイヤリング」と呼ばれる接続方法が知られている。
斯かる構成のスピーカユニットが作用を得るように、スピーカボックスにはバイワイヤリングに対応した高音用と低音用との端子が設けられている。
【０００３】
又、上述のバイワイヤリングの機能を更に向上させるものとして、１台のプリアンプの直後に２台のパワーアンプを接続し、各パワーアンプの出力端子から高音用のスピーカコードと低音用のスピーカコードとをそれぞれ接続する「バイ・パワーアンプドライブ」と呼ばれる駆動方法も知られている。
【０００４】
【発明が解決しようとする課題】
尚、上述のようなバイワイヤリング接続やバイ・パワーアンプドライブ駆動は既に行われてはいるが、プリアンプまでも含めた状態でバイ・アンプドライブすることは行われていなかった。
と言うのは、プリアンプには入力切り替えのセレクタや、ボリュームコントロールなどが存在しているが、１つの信号をバイ・パワーアンプドライブ駆動する際に２台のプリアンプを完全に同期させることが不可能であったからである。
【０００５】
尚、手動で２台のプリアンプの入力切り替えを行うことは多少の時間のずれを許容すればできなくはないが、繁雑な操作を必要とする。又、２台のプリアンプのボリュームを等しく調整することは、時間をかけても極めて高い操作の熟練性を必要とすることから結果的に実質的なバイアンプ機能を得ることは難しいという問題があった。
【０００６】
本発明は上述した問題点に鑑みてなされたものであって、構成が同じの二個の増幅手段を備え、それらの増幅手段で一方の制御信号の入力に対して両方のチャネルに振り分ける機能を備えさせて且つバイアンプとして使用可能な構成であるプリアンプにおいて、更に、他の同種のプリアンプと接続させた際に、一のプリアンプへの制御信号に他のプリアンプがリンクさせることを目的とする。
【０００７】
【課題を解決するための手段】
すなわち、上記の課題を解決する手段としての本願発明は以下に述べるようなものである。
【０００８】
請求項１に記載の発明は、構成が互いに同じであり、一方の入力を両方のチャネルに振り分ける機能を有し、バイアンプとして使用可能な二つの増幅手段と、入力切り替えを行うためのセレクタと、音量調節を行うための音量調節つまみと、それらセレクタ及び音量調節つまみと接続する制御手段と、その制御手段と接続され、バイ・アンプとしてドライブされる同種の他のプリアンプとの間に介在されて通信を行うための通信手段と、が備えられてなるプリアンプであって、
上記制御手段は、上記セレクタもしくは音量調節つまみの操作が行われた際には、上記二つの増幅手段のうちの一方の増幅手段への操作に対応して他方の増幅手段にも入力切り替えもしくは音量調節の制御を行い且つ他のプリアンプに対し上記通信手段を介して入力切り替えもしくは音量調節の制御信号を送信し、更に、他のプリアンプから制御信号を受けた際には、その制御信号に従って入力切り替えもしくは音量調節の制御を行うように構成されてなることを特徴とするプリアンプである。
【０００９】
斯かる構成の発明では、一のプリアンプにおいてセレクタもしくは音量調節つまみの操作があった場合には、制御手段は二つの増幅手段にリンクして入力切り替えもしくは音量調節の制御を対応して行い、且つ、通信手段を介して他のプリアンプに入力切り替えもしくは音量調節の制御信号を対応させて送信する。
他方、前記通信手段を介して、他のプリアンプから入力切り替えもしくは音量調節の制御信号を受信した場合には、制御手段は該他のプリアンプからの制御信号に従ってリンクして前記一のプリアンプに入力切り替えもしくは音量調節の制御を対応させて行う。
【００１０】
その結果、プリアンプをバイアンプとして使用する際に、音量調整あるいは入力切り替えに関して、各プリアンプはリンクして互いに同期した状態を得ることが可能になり、結果的に、互いに同期したバイアンプとして機能する。
従って、本発明のプリアンプの後段にメインアンプを接続すると、メインアンプのみならずプリアンプまでを含めた状態でバイアンプドライブが可能になる。
尚、ここで、バイアンプとは、２ウェイ以上のスピーカシステムを内蔵しているクロスオーバーネットワークを使用して、複数台のパワーアンプでドライブすることをいい、オーディオに係る当業者にとって広く知られている意味と全く同じである。
【００１１】
請求項２に記載の発明は、ミュートの操作が行われる操作部を備え、前記制御手段は、一方の増幅手段にミュートについての操作が行われた場合に、他方の増幅手段にミュートの制御を行うと共に、前記通信手段を介して他のプリアンプにミュートの制御信号を送信し、更に、前記通信手段を介して他のプリアンプからミュートの制御信号を受信した場合に、該他のプリアンプからの制御信号に従って一のプリアンプにミュートの制御を行う、ことを特徴とする請求項１に記載のプリアンプである。
【００１２】
斯かる構成の発明では、上記の請求項１に加え、一方の増幅手段にミュートについての操作が行われた場合に、制御手段は、他方の増幅手段にミュートの制御を行うと共に、通信手段を介して他のプリアンプにミュートの制御信号を送信する。
他方、通信手段を介して他のプリアンプからミュートの制御信号を受信した場合に、制御手段は、該他のプリアンプからの制御信号に従って一のプリアンプにミュートの制御を行う。
【００１３】
その結果、各プリアンプをバイアンプとして使用する際に、上記の請求項１に加え、ミュートの制御に関しても、各プリアンプが互いに同期した状態を得ることが可能になり、結果的に、バイアンプの増幅手段として機能する。
よって、ミュートの制御に関しても、本発明のプリアンプの後段にメインアンプを接続すると、メインアンプのみならずプリアンプまでを含めた状態でバイアンプドライブが可能になる。
【００１４】
【発明の実施の形態】
以下、図面を参照して本発明の実施の形態例を詳細に説明する。
尚、以下の実施の形態例では、プリアンプとしてバランス入力とバランス出力とが可能なものを具体例として示すが、本発明の技術思想はこれに限定されるものではない。
【００１５】
図１は、本発明の実施の形態例のプリアンプ１００の電気的構成を説明するブロック図である。
この図１において、１０１は、プリアンプ１００の各部を制御するためのマイクロコンピュータなどで構成された制御手段（ＣＰＵ）である。
【００１６】
プリアンプ１００は、図１に示すように、構成が同じの二の増幅手段が互いに並んで接続して備えられ、セレクタ１０２もしくは音量調節つまみ（ボリューム１０３）に操作が行われた場合に、制御手段１０１が一方の入力を両方のチャネル（増幅手段）に振り分ける制御機能を有し、更に、バイアンプとして使用可能な構成になっている。
又、プリアンプ１００は、バスコントローラ１０６、バス入力１０７、バス出力１０８等から構成されている通信手段を介して、それぞれの構成が同じであって互いに並んで接続された他の複数のプリアンプと接続されており、セレクタ１０２もしくは音量調節つまみ（ボリューム１０３）に操作が行われた場合に、制御手段１０１が、前記他の複数のプリアンプに対応して同様な制御を行われるように機能するものである。
ここで、増幅手段は具体的に、図１に示すように、入力信号を受けるバッファ群（後述する）と、そのバッファ群の後段に接続されてバッファ群からの信号を選択するためのスイッチ群と、そのスイッチ群の後段に接続されて入力信号の音量調節を行うためのボリューム群と、そのボリューム群の後段に接続されてボリューム群からの信号を増幅するアンプ群と、そのアンプ群の後段に接続されてメインアンプ側に信号を出力する出力端子群を備えて構成されいてる。
又、制御手段１０１は、プリアンプ１００において一方の増幅手段に対して後述するセレクタ１０２もしくは音量調節つまみ（ボリューム１０３）に操作があった場合にそれに対応して、上述したように、他方の増幅手段に対しても入力切り替えもしくは音量調節の制御を行い、更に同様に、制御手段１０１はこの制御と共に、前記通信手段を介して他のプリアンプに対しても入力切り替えもしくは音量調節のための制御を行うものである。
加えて、制御手段１０１は、前記通信手段を介して、他のプリアンプから入力切り替えもしくは音量調節の制御信号を受信した場合にはそれに対応して、該他のプリアンプからの制御信号に従ってプリアンプ１００の増幅手段に入力切り替えもしくは音量調節の制御を行うものである。
【００１７】
１０２は、入力切り替えのための操作がなされる操作部のうちのセレクタであり、１０３は、音量調節つまみとしてのボリュームつまみであり、１０４は、プリアンプ１００のその他各種の操作がなされる各種スイッチである。
【００１８】
１０５は、一方の増幅手段（図１におけるＡ−ｃｈ）への入力を他方の増幅手段（図１におけるＢ−ｃｈ）の入力側にも振り分けることによって、ステレオプリアンプをモノラルのバイ・プリアンプとして使用可能にするバイアンプスイッチである。
【００１９】
１０６はバスコントローラであり、一のプリアンプ１００のＣＰＵ１０１からの制御信号を他のプリアンプに送信し、又、他のプリアンプからの制御信号を受信して一のプリアンプ１００のＣＰＵ１０１に供給する働きをする。
【００２０】
１０７はバス入力であり、一に対する他の増幅手段と接続されて該他の増幅手段からの制御信号を受信する。
１０８はバス出力であり、一に対する他の増幅手段と接続されて該他の増幅手段に制御信号を送信する。
【００２１】
１２１Ａと１２２Ａは、バランス入力端子であるBAL-A(IN)からの入力信号を受けるバッファである。
１２３Ａと１２４Ａは、アンバランス入力端子であるLINE-Aからの入力信号を受けると共に、バランス状態の信号を生成するバッファである。
【００２２】
１２５Ａと１２６Ａは、アンバランス入力端子であるTAPE-Aからの入力信号を受けると共に、バランス状態の信号を生成するバッファである。
１２７Ａは、他の端子からの入力信号を受けて録音用信号として録音端子REC-OUT-Aから出力するバッファである。
【００２３】
尚、上述の１２１Ａ〜１２７Ａが、一のプリアンプ１００の一方の増幅手段であるＡ−ｃｈの各端子群に対応したバッファアンプである。
【００２４】
１２１Ｂと１２２Ｂは、バランス入力端子であるBAL-A(IN)からの入力信号を受けるバッファである。
１２３Ｂと１２４Ｂは、アンバランス入力端子であるLINE-Aからの入力信号を受けると共に、バランス状態の信号を生成するバッファである。
【００２５】
１２５Ｂと１２６Ｂは、アンバランス入力端子であるTAPE-Aからの入力信号を受けると共に、バランス状態の信号を生成するバッファである。
１２７Ｂは、他の端子からの入力信号を受けて録音用信号として録音端子REC-OUT-Aから出力するバッファである。
【００２６】
尚、上述の１２１Ｂ〜１２７Ｂが、一のプリアンプ１００の他方の増幅手段であるＢ−ｃｈの各端子群に対応したバッファアンプである。
【００２７】
１３０はセレクタ１０２の操作を受けたＣＰＵ１０１から制御されて、後述するＡ−ｃｈのスイッチ群１３１Ａ〜１３８ＡとＢ−ｃｈのスイッチ群１３１Ｂ〜１３８Ｂとを選択的に切り替えるリレードライバである。
【００２８】
１３１Ａと１３２Ａは、バランス入力端子であるBAL-A(IN)からの入力信号が選択された場合に通過させるスイッチである。
１３３Ａと１３４Ａは、アンバランス入力端子であるLINE-Aからの入力信号が選択された場合に通過させるスイッチである。
【００２９】
１３５Ａと１３６Ａは、アンバランス入力端子であるTAPE-Aからの入力信号が選択された場合に通過させるスイッチである。
１３７Ａと１３８Ａは、録音端子REC-OUT-Aから録音用信号の出力が許可されている場合に他の端子からの入力信号を通過させるスイッチである。
【００３０】
尚、以上の１３１Ａ〜１３８Ａが、Ａ−ｃｈの入力切り替えに使用されるスイッチ群である。
【００３１】
１３１Ｂと１３２Ｂは、バランス入力端子であるBAL-A(IN)からの入力信号が選択された場合に通過させるスイッチである。
１３３Ｂと１３４Ｂは、アンバランス入力端子であるLINE-Aからの入力信号が選択された場合に通過させるスイッチである。
【００３２】
１３５Ｂと１３６Ｂは、アンバランス入力端子であるTAPE-Ｂからの入力信号が選択された場合に通過させるスイッチである。
１３７Ｂと１３８Ｂは、録音端子REC-OUT-Bから録音用信号の出力が許可されている場合に他の端子からの入力信号を通過させるスイッチである。
【００３３】
尚、以上の１３１Ｂ〜１３８Ｂが、Ｂ−ｃｈの入力切り替えに使用されるスイッチ群である。
【００３４】
１４１Ａと１４２Ａは、ＣＰＵ１０１からの制御を受けてＡ−ｃｈの音量調節を司るボリュームコントローラである。
又、１４１Ｂと１４２Ｂは、ＣＰＵ１０１からの制御を受けてＢ−ｃｈの音量調節を司るボリュームコントローラである。
【００３５】
尚、これら１４１Ａ、１４２Ａ、１４１Ｂ、１４２Ｂは、電動ボリュームなどで構成することができる。
又、このボリュームコントローラは、入力信号自体を絞るかわりに、後述するアンプ部のＮＦＢ量を調整することでも音量調節を実行することが可能である。
【００３６】
１５１Ａと１５２Ａは、Ａ−ｃｈにおける増幅手段としての所定の増幅を行うアンプ部である。
これらアンプ部１５１Ａと１５２Ｂからの出力は、バランス出力端子であるBAL-A(OUT)とアンバランス出力端子であるUNBAL-A(OUT)から出力される。
【００３７】
又、１５１Ｂと１５２Ｂは、Ｂ−ｃｈにおける増幅手段としての所定の増幅を行うアンプ部である。
これらアンプ部１５１Ｂと１５２Ｂからの出力は、バランス出力端子であるBAL-B(OUT)とアンバランス出力端子であるUNBAL-B(OUT)から出力される。
【００３８】
１６０は、各種スイッチ１０４に含まれるミュートボタンの操作を受けたＣＰＵ１０１から制御されて、後述するミュートスイッチを切り替えるミュートドライバである。
【００３９】
１６１Ａは、アンプ部１５１Ａからの出力を遮断するためのミュートスイッチであり、１６２Ａは、アンプ部１５２Ａからの出力を遮断するためのミュートスイッチであり、１６１Ｂは、アンプ部１５１Ｂからの出力を遮断するためのミュートスイッチであり、１６２Ｂはアンプ部１５２Ｂからの出力を遮断するためのミュートスイッチである。
【００４０】
又、１６３Ａは、録音端子REC-OUT-Aからの出力を遮断するためのミュートスイッチであり、１６３Ｂは、録音端子REC-OUT-Bからの出力を遮断するためのミュートスイッチである。
【００４１】
以下、図２に示すフローチャートを参照しつつ、本実施の形態例であるプリアンプ１００の動作説明を行う。
尚、ここでは、図１に示すプリアンプ１００と同種の他のプリアンプがバス入力とバス出力を介して複数台が相互に接続されているものとする。
【００４２】
又、プリアンプ同士の接続において、プリアンプ１００と同種の他のプリアンプは固有のＩＤが割り当てられているものとする。
更に、それら各プリアンプのＣＰＵは、前記ＩＤを利用して、他のプリアンプのＣＰＵと相互に通信が可能に構成されているものとする。
【００４３】
この実施の形態例では、一のプリアンプ１００のバス入力１０７とバス出力１０８を介して他のプリアンプ（図示せず）が接続された場合、ＣＰＵ１０１は他のプリアンプのＣＰＵと通信を行いリンクモードを確立する。
又、各種スイッチ１０４によってバイアンプモードが選択されると、ＣＰＵ１０１はバイアンプスイッチ１０５を導通状態にして、一方の増幅手段であるＡ−ｃｈの入力をＡ−ｃｈと他方の増幅手段であるＢ−ｃｈとに振り分けて、モノラルのバイ・プリアンプとして動作させる。
【００４４】
この結果、本来はステレオプリアンプであったプリアンプ１００がモノラルのバイ・プリアンプとして動作するため、図１のプリアンプ１００と同種のプリアンプをもう１台接続することでステレオのバイ・プリアンプとして動作する。
【００４５】
ここで、ＣＰＵ１０１は、セレクタ１０２、ボリュームつまみ１０３、各種スイッチ１０４など自機の各種操作の状態を監視している（図２Ｓ１）。
ここで、セレクタ１０２、ボリュームつまみ１０３、各種スイッチ１０４などいずれかの操作があれば、ＣＰＵ１０１は、その操作を受けてプリアンプ１００の各部を制御する（図２Ｓ２）。
【００４６】
すなわち、ＣＰＵ１０１は、セレクタ１０２が操作されると（図２Ｓ１でＹ）、その操作に応じて、いずれかの入力が有効になるようにリレードライバ１３０を介してスイッチ群１３１Ａ〜１３８Ａとスイッチ群１３１Ｂ〜１３８Ｂとを制御する。
【００４７】
又、ボリュームつまみ１０３が操作されると、その操作に応じて、ＣＰＵ１０１はボリュームコントローラ１４１Ａ〜１４２Ｂを制御する。
更に、各種スイッチ１０４内のミュートボタンが操作されると、ＣＰＵ１０１は、ミュートドライバ１６０を介してミュートスイッチ１６１Ａ〜１６２Ｂをミュート状態に制御する。
【００４８】
又、以上のようにセレクタ１０２、ボリュームつまみ、各種スイッチ１０４のいずれかの操作があった場合には、上述した入力切り替えもしくは音量調節と共に、ＣＰＵ１０１は、バスコントローラ１０６を介してバス出力１０８からプリアンプ１００に対する他のプリアンプに向けて、入力切り替えもしくは音量調節の制御信号を送信する（図Ｓ３）。
【００４９】
この場合、他のプリアンプ（図示せず）は、プリアンプ１００からの制御信号を受けて、入力切り替えもしくは音量調節の制御を実行する。
又、ミュートボタンの操作があった場合にも、同様にしてミュートの制御信号を他のプリアンプに送信し、他のプリアンプではミュートの制御を実行する。
【００５０】
又、ＣＰＵ１０１は、セレクタ１０２、ボリュームつまみ１０３、各種スイッチ１０４など自機の各種操作の状態を監視（図２Ｓ１）しているが、自機での操作が無い場合には（図２Ｓ１でＮ）、他のプリアンプ（図示せず）の操作がなされた場合の制御信号が送られて来ないかを監視している（図２Ｓ４）。
【００５１】
すなわち、他のプリアンプ（図示せず）においてセレクタ、ボリュームつまみ、各種スイッチのいずれかの操作があった場合には、以上の場合と同様にして、他のプリアンプのＣＰＵがプリアンプ１００に向けて、入力切り替えもしくは音量調節の制御信号を送信する。
そこで、プリアンプ１００は、バス入力１０７とバスコントローラ１０６を介して、他のプリアンプのＣＰＵからの入力切り替えもしくは音量調節の制御信号を受信する。
【００５２】
そうして、この場合、プリアンプ１００のＣＰＵ１０１は、他のプリアンプからの制御信号を受けて、自機での操作と同様にして、入力切り替えもしくは音量調節の制御を実行する（図２Ｓ５）。
【００５３】
又、他のプリアンプにてミュートボタンの操作があった場合にも、プリアンプ１００で入力切り替えや音量調節と同様にして、他のプリアンプに連動して連動してミュートの制御を実行する。
【００５４】
上述した構成であって且つ斯かる構成による動作を行うプリアンプによれば、バイアンプとして使用する際に、音量調整、入力切り替え、ミュートなどの制御に関して、複数台で同期した状態を保つことが可能になり、バイ・プリアンプとして動作する。
この結果、メインアンプだけでなくプリアンプまで含めた状態でバイアンプドライブが可能になる。
【００５５】
〈その他の実施の形態例〉
尚、以上の実施の形態例における入力端子数や出力端子数はここに示した具体例に限定されるものではない。
又、ここでは、バランス入力とバランス出力とが可能なものを具体例として示したが、アンバランス入力とアンバランス出力とを行うプリアンプであっても、本発明を適用することは可能である。
【００５６】
上述した実施の形態例では、２台のプリアンプ若しくは複数台のプリアンプのうちの任意の１台のプリアンプを制御すると、その制御に対応して他の残りのプリアンプが連動して制御される構成になっている。が、特定の１台のプリアンプのみが制御作用を受けるとこれに対応して他の残りのプリアンプが連動して制御されるが、前記特定の１台のプリアンプ以外のプリアンプを制御しようとしても制御が作用せず、他のプリアンプにも制御作用が働かない構成であってもよい。
【００５７】
【発明の効果】
以上、実施の形態例により詳細に説明したように、本発明によれば、以下のような効果が得られる。
（１）請求項１記載の発明では、セレクタもしくは音量調節つまみの操作があった場合には、入力切り替えもしくは音量調節の制御を行うと共に、通信手段を介して他のプリアンプに対して入力切り替えもしくは音量調節の制御信号を送信する。一方、通信手段を介して他のプリアンプから入力切り替えもしくは音量調節の制御信号を受信した場合には、該他のプリアンプからの制御信号に従って入力切り替えもしくは音量調節の制御を行う。この結果、バイアンプとして使用する際に、音量調整あるいは入力切り替えに関して、複数台で同期した状態を保つことが可能になり、メインアンプだけでなくプリアンプを含めた状態でバイアンプドライブが可能になる。
（２）請求項２記載の発明では、上記（１）に加え、ミュートについての操作があった場合には、ミュートの制御を行うと共に、通信手段を介して他のプリアンプに対してミュートの制御信号を送信する。一方、通信手段を介して他のプリアンプからミュートの制御信号を受信した場合には、該他のプリアンプからの制御信号に従ってミュートの制御を行う。この結果、バイアンプとして使用する際に、上記（１）に加え、ミュートに関しても、複数台で同期した状態を保つことが可能になり、メインアンプだけでなくプリアンプを含めた状態でバイアンプドライブが可能になる。
【図面の簡単な説明】
【図１】本発明の実施の形態例のプリアンプの電気的な構成を説明する機能ブロック図である。
【図２】本発明の実施の形態例のプリアンプの動作を説明するフローチャートである。
【符号の説明】
１００  プリアンプ
１０１  制御手段（ＣＰＵ）
１０２  セレクタ
１０３  ボリュームつまみ（音量調節つまみ）
１０４  各種スイッチ
１０５  バイアンプスイッチ
１０６  バスコントローラ
１０７  バス入力
１０８  バス出力
１３１Ａ〜１３８Ａ  Ａ−ｃｈスイッチ群
１３１Ｂ〜１３８Ｂ  Ｂ−ｃｈスイッチ群
１４１Ａ、１４２Ａ、１４１Ｂ、１４２Ｂ  ボリュームコントローラ
１５１Ａ、１５２Ａ、１５１Ｂ、１５２Ｂ  アンプ部
１６０  ミュートドライバ
１６１Ａ〜１６３Ｂ  ミュートスイッチ
【図１】
0003635641.tif 000002
【図２】
0003635641.tif 000003